(57)【特許請求の範囲】
【請求項１】
額等の枠体へ着脱容易に係着する展設具であって、前記枠体の長手方向へ開口部を介して対峙する枠体側係着片を夫々延設し、該夫々の枠体側係着片の先端の前記開口部側へ枠体側係着部を形成すると共に、可撓性部材で形成する展設具は中央へ接続部を設け、該接続部の両側へ略対称させて展設具側係着片と更に外方に爪係部を夫々延設し、前記夫々の展設具側係着片の両側へは前記枠体側係着部と夫々合着する展設具側係着部を形成し、前記夫々の展設具側係着部の間の巾を前記夫々の枠体側係着部の間の巾より若干大巾に形成したことを特徴とする額等の展設具。
【請求項２】
前記展設具の接続部へ薄肉とした折曲部を有したヒンジ部を形成したことを特徴とする請求項１に記載の額等の展設具。
【請求項３】
額等の枠体へ着脱容易に係着する展設具であって、前記枠体の長手方向へ開口部を介して対峙する枠体側係着片を夫々延設し、該夫々の枠体側係着片の先端の前記開口部側へ枠体側係着部を形成すると共に、可撓性部材で形成する展設具は中央へ接続部を設け、該接続部の両側へ略対称させて展設具側係着片を夫々延設し、前記夫々の展設具側係着片の両側へは前記枠体側係着部と夫々合着する展設具側係着部を形成し、前記夫々の展設具側係着部の間の巾を前記夫々の枠体側係着部の間の巾より若干大巾に形成すると共に、前記接続部へ薄肉とする凹陥部を形成し、該凹陥部へ弾性係止により着脱自在な補強部材を充当させることを特徴とする額等の展設具。
【請求項４】
前記展設具の接続部へ薄肉とする凹陥部を形成すると共に、該凹陥部へ摺動により緩締自在な補強部材を充当させることを特徴とする請求項３に記載の額等の展設具。
【請求項５】
前記展設具の接続部へ貫通孔を穿設すると共に、該貫通孔へ回動により緩締自在な補強部材を貫設させることを特徴とする請求項３に記載の額等の展設具。
【発明の詳細な説明】
【０００１】
【産業上の利用分野】
本発明は額、ポスターフレーム等を構成する枠体に付設し、これ等を複数枚展設する展設具に関するものであり、更に詳細には、展設する複数枚の額等の枠体へ着脱容易な展設具に関するものである。
【０００２】
【従来技術】
昨今、被掲示物等を挟着して掲示、又は、装飾等に用いる額、及び、ポスターフレーム等は様々斬新なアイディアを凝らして市販されるように成っており、これ等の展設具においても旧来の釘等の突起物を額等の裏面に打ち付けて架台の係止部に係止させて展設させるものから、近年では図１１に図示するような枠体の内部に組み込んで展設する展設具が開発され市販されている。
【０００３】
【解決しようとする課題】
然し乍、前述の架台を用いる展設は大掛かりな架台を必要とし課題を有しており、更に、枠体に組み込む展設具においては、取り外しが容易でなく、使用後、取り外しの必要性が生じた場合、図１２乃至図１３に図示するような取外用の工具を用意すると共に、予め、展設具の接続部に凹溝或いは円孔を形成して、前記取外用工具の先端を挿通させて工具と共に展設具を回動させて、アルミ製の枠体の弾性を利して強制的に取り外しており、別体の取外用の工具を絶えず備えておかねばならず、又、強制的に取り外すため度重なる使用には枠体又は展設具が変形したり、欠けたりすることが屡々発生しており課題と成っており、更には、取り外しに時間が係るものであった。
【０００４】
【発明の目的】
本発明は前記課題に鑑み、鋭意研鑽の結果課題を解決するもので、隣接した額等の夫々の枠体へ組み込むことによって展設させ、取り外すことによって展設を解除する展設具において、その着脱を容易にした展設具を創案して提供するものである。
【０００５】
【発明の構成】
本発明の第１実施例の構成は、枠体へ開口部を介して枠体側係着片を夫々延設し、夫々の枠体側係着片の先端へは枠体側係着部を形成すると共に、可撓性部材で形成する展設具へ接続部を設け、接続部の両側へ展設具側係着片と爪係部を夫々延設し、夫々の展設具側係着片の両側へは展設具側係着部を形成し、夫々の展設具側係着部の間の巾を夫々の枠体側係着部の間の巾より若干大巾に形成した構成であり、第２実施例の構成は、展設具の接続部へヒンジ部を形成した構成である。
【０００６】
そして、第３実施例の構成は、枠体へ開口部を介して枠体側係着片を夫々延設し、夫々の枠体側係着片の先端へは枠体側係着部を形成すると共に、可撓性部材で形成する展設具へ接続部を設け、接続部の両側へ展設具側係着片を夫々延設し、夫々の展設具側係着片の両側へは展設具側係着部を形成し、夫々の展設具側係着部の間の巾は夫々枠体側係着部の間巾より若干大巾に形成すると共に、接続部へ凹陥部を形成し、凹陥部へ弾性係止により着脱自在な補強部材を充当させる構成であり、更に、第４実施例の構成は、展設具の接続部へ薄肉とする凹陥部を形成すると共に、凹陥部へ摺動により緩締自在な補強部材を充当させる構成であり、第５実施例の構成は、展設具の接続部へ貫通孔を形成すると共に、貫通孔へ回動により緩締自在な補強部材を貫設させる構成である。
【０００７】
【発明の作用】
本発明の作用は、枠体の開口部へ展設具の展設具側係着片を当てて押圧することによって枠体側係着部と展設具側係着部とが合着して容易にワンタッチで組込むことができ、又、爪係部を枠体から引き離すようにすることによって梃子の原理により容易に取り外しができるものであり、更に、展設具の接続部の凹陥部へ充当させた補強部材を可動させることにより、展設具の可撓性が増大され、容易に取り外しできるものである。
【０００８】
【発明の実施例】
以下本発明の実施例を添付図面に基づいて説明する。
【０００９】
図１は本発明の第１実施例の概要斜視図であり、図２は本発明の第２実施例の説明側面図であり、図３は第２実施例の枢動した状態の説明側面図であり、図４は本発明の第３実施例の展設具及び補強部材の斜視図であり、図５は本発明の第３実施例の展設具及び補強部材の斜視図であり、図６は本発明の第４実施例の展設具及び補強部材の斜視図であり、図７は本発明の第５実施例の展設具の斜視図の説明図であり、図８は本発明の第５実施例の展設具の要部の説明図であり、図９は本発明の展設具の縦方向のずれ防止用のストッパーの説明図であり、図１０は本発明の展設具の縦方向のずれ防止用のストッパーの説明図であり、図１１は従来例の展設具を組み込んだ斜視図であり、図１２は従来例の展設具を取り外す前の斜視図であり、図１３は従来例の展設具を取り外す直前の状態を表わした斜視図である。
【００１０】
本発明は額、ポスターフレーム等を構成する枠体１に付設し、これ等を複数枚展設する展設具２に関するものであり、更に詳細には、展設する複数枚の額等の枠体１へ着脱容易な展設具２に関するものであり、第１実施例では、前記枠体１の長手方向へ開口部１ａを介して対峙する枠体側係着片１ｂ．１ｃを夫々延設し、該夫々の枠体側係着片１ｂ．１ｃの先端の前記開口部１ａ側へ枠体側係着部１ｄ．１ｅを形成すると共に、可撓性部材で形成する展設具２は中央へ接続部２ａを設け、該接続部２ａの両側へ略対称させて展設具側係着片２ｂ．２ｂと更に外方に爪係部２ｃ．２ｃを夫々延設し、前記夫々の展設具側係着片２ｂ．２ｂの両側へは前記枠体側係着部１ｄ．１ｅと夫々合着する展設具側係着部２ｄ．２ｄ．２ｄ．２ｄを形成し、前記夫々の展設具側係着部２ｄ．２ｄの間の巾を前記夫々の枠体側係着部１ｄ．１ｅの間の巾より若干大巾に形成したものである。
【００１１】
又、本発明の第２実施例では、第１実施例に加え、前記展設具２の接続部２ａへ薄肉とした折曲部を有したヒンジ部２ｅを形成したものである。
【００１２】
そして、第３実施例では、額等の枠体１へ着脱容易に係着する展設具２であって、前記枠体１の長手方向へ開口部１ａを介して対峙する枠体側係着片１ｂ．１ｃを夫々延設し、該夫々の枠体側係着片１ｂ．１ｃの先端の前記開口部１ａ側へ枠体側係着部１ｄ．１ｅを形成すると共に、可撓性部材で形成する展設具２は中央へ接続部２ａを設け、該接続部２ａの両側へ略対称させて展設具側係着片２ｂ．２ｂを夫々延設し、前記夫々の展設具側係着片２ｂ．２ｂの両側へは前記枠体側係着部１ｄ．１ｅと夫々合着する展設具側係着部２ｄ．２ｄ．２ｄ．２ｄを形成し、前記夫々の展設具側係着部２ｄ．２ｄの間の巾を前記夫々の枠体側係着部１ｄ．１ｅの間の巾より若干大巾に形成すると共に、前記接続部２ａへ薄肉とする凹陥部２ｆを形成し、該凹陥部２ｆへ弾性係止により着脱自在な補強部材３を充当させるものである。
【００１３】
更に、本発明の第４実施例では、第３実施例の展設具２の接続部２ａへ薄肉とする凹陥部２ｆを形成すると共に、該凹陥部２ｆへ摺動により緩締自在な補強部材３を充当させるものである。
【００１４】
加えて、本発明の第５実施例では、第３実施例の展設具２の接続部２ａへ貫通孔を穿設すると共に、該貫通孔へ回動により緩締自在な補強部材３を貫設させるものである。
【００１５】
即ち、本発明は、絵画、写真、ポスター等を透明板体と背板との間に挟着積層して、外周辺を枠体１で囲んで壁等に架けて、掲示用、又は、装飾用に用いる複数の額、ポスターフレーム等の枠体１を連結して展設する展設具２であり、又、間仕切のような面積を自在に変更できる展設壁、或いは、カーテン様の開閉が可能な展設壁の枠体１にも用いられる展設具２である。
【００１６】
本発明に用いる枠体１は主としてアルミ等の軽金属、或いは、硬質の合成樹脂等で形成するもので、通常、二対を各々平行させて矩形状に配設され、各々当接する枠体１は角部を４５度にカットして直角に合着させてコーナー止め具等の固定具で固定しているものであり、夫々の枠体１は長手方向に沿った枠体１の一側面に開口部１ａを介して対峙する枠体側係着片１ｂ．１ｃを夫々延設しているものである。
【００１７】
つまり、額の枠体１の場合は、図１に図示の如く、枠体１の表側端辺を内側に湾曲させて被掲示物等の表面の板ガラス、アクリル樹脂等の透明板体を表面から押圧挟持する挟持部を形成し、裏側端辺は一方の枠体側係着片１ｂを構成するものであり、該一方の枠体側係着片１ｂの先端の内側へは枠体側係着部１ｄを形成しており、前記枠体１の表側端辺と裏側端辺との間の外側は通常の枠体１と同様に平坦状に形成されているものである。
【００１８】
そして、枠体１の内側の略中央位置から一方の枠体側係着片１ｂの先端に形成した枠体側係着部１ｄを中心点として円弧状に他方の枠体側係着片１ｃを延設しており、他方の枠体側係着片１ｃの先端へも枠体側係着部１ｅを形成しているものであり、一方の枠体側係着片１ｂと他方の枠体側係着片１ｃとの間が開口部１ａと成るものである。
【００１９】
他方の枠体側係着片１ｃは必ずしも断面円弧状でなくとも、一方の枠体側係着片１ｂの枠体側係着部１ｄを中心点とする円弧状線上に一部が位置する非円弧状のものでも良く、開口部１ａを介して対峙する枠体側係着片１ｂ．１ｃを夫々延設しているものなら構わないものであるが、本発明を実施する複数の額等の夫々の枠体１は横断面形状が同形状としているものが好ましいものである。
【００２０】
本発明の展設具２は合成樹脂等の可撓性部材で形成するものであり、図１に図示の如く、中央へは接続部２ａを設け両側へ略対称させて展設具側係着片２ｂ．２ｂと更に外方に爪係部２ｃ．２ｃを夫々延設しており、夫々の展設具側係着片２ｂ．２ｂの両側へは展設具側係着部２ｄ．２ｄ．２ｄ．２ｄを形成しており、前記枠体１の開口部１ａを介して対峙する枠体側係着片１ｂ．１ｃの夫々の先端に形成した枠体側係着部１ｄ．１ｅと夫々合着して係着するものである。
【００２１】
本発明の展設具２の展設具側係着片２ｂの両側に形成した展設具側係着部２ｄと展設具側係着部２ｄとの間の巾は枠体１の一方の枠体側係着片１ｂの先端に形成した枠体側係着部１ｄと他方の枠体側係着片１ｃの先端に形成した枠体側係着部１ｅとの巾より若干大巾に形成しており、展設具２を枠体１に付設する場合は、枠体１の開口部１ａに展設具側係着片２ｂを当てて押圧することにより、展設具２が弾性変形をして夫々の枠体側係着部１ｄ．１ｅと展設具側係着部２ｄ．２ｄとが合着してワンタッチで取り付けが完了するものである。
【００２２】
次いで、枠体１から展設具２を取り外す場合は、展設具２の両端に形成した爪係部２ｃを枠体１から離すように持ち上げると、梃子の原理により展設具２が弾性変形して容易に取り外せるものである。
【００２３】
図１に図示の実施例の展設具２においては、弾性部材によって断面を波状に形成しているものであり、つまり、中央に接続部２ａを設け、該接続部２ａから断面コ字状に形成した展設具側係着片２ｂ．２ｂを両側に形成しており、更に、外方には爪係部２ｃ．２ｃを夫々形成しているものであり、夫々の展設具側係着片２ｂ．２ｂの両側へは展設具側係着部２ｄ．２ｄ．２ｄ．２ｄを夫々形成しているものである。
【００２４】
そして、図２乃至図３に図示の第２実施例の展設具２においては、中央に形成した接続部２ａに薄肉とした俗にＰＰヒンジと称される折曲部を有した一体のヒンジ部２ｅを形成しているものあり、展設した額等をそのまま折り曲げたい場合に用いるものであり、図３は図２の並設状態から折り曲げている状態を表わしたものである。
【００２５】
図４乃至図５に図示するものは、第３実施例であり、枠体１は前述の枠体１を用いるものであり、当該展設具２は第１実施例及び第２実施例と同様に可撓性部材で形成し、中央へは接続部２ａを設けており、該接続部２ａから両側へ略対称させて弧状部を延設させて、更に、その先端へは展設具側係着片２ｂ．２ｂを夫々延設し、夫々の展設具側係着片２ｂ．２ｂの両側へは展設具側係着部２ｄ．２ｄ．２ｄ．２ｄを形成しており、夫々の展設具側係着部２ｄ．２ｄの間の巾は夫々の枠体１の開口部１ａ側に形成した枠体側係着部１ｄ．１ｅの間の巾より若干大巾に形成しているものである。
【００２６】
そして、接続部２ａへは薄肉とする凹陥部２ｆを形成しているものあり、凹陥部２ｆに埋設状態に補強部材３を充当することによって、外面を面一と成るものであり、着脱自在な弾性係止とは図４乃至図５に図示する実施例では上面が展設具２の外面と面一に成る板状片３ａの下面に一対の弾性係止片３ｂ．３ｂを垂下させ、該一対の弾性係止片３ｂ．３ｂの下端の内側又は外側に係止用突部３ｃ．３ｃを形成しているもので、外方から係止しても、内方から係止しても構わないものであり、係止用突部３ｃ．３ｃは展設具２の凹陥部２ｆの下端へ係止されるものである。
【００２７】
本発明は、先ず、補強部材３を組付けていない展設具２の展設具側係着片２ｂ．２ｂを枠体１の開口部１ａに当てて押圧することによって容易に組込むことが可能であり、次いで、補強部材３の弾性係止片３ｂ．３ｂを展設具２の凹陥部２ｆを跨ぐように当接させて押圧することによって、係止用突部３ｃ．３ｃが弾性係止片３ｂ．３ｂの弾性変形によって凹陥部２ｆの下端に係止され、展設具２は強固と成り確りと枠体１に組付くものである。
【００２８】
次に、取り外す場合は、補強部材３の端部を上方に剥がすようにすると容易に補強部材３は取り外すことができ、補強部材３によって緊張していた展設具２は恰も桶のたがが外れたように緩み容易に枠体１より取り外せるものであり、つまり、展設具２の接続部２ａを薄肉とした凹陥部２ｆを形成したため弾性力が増大されており、小さな力で容易に着脱ができるものであり、補強部材３を係止することによって展設具２は緊張して取外しが困難と成るものである。
【００２９】
次いで、第４実施例は図６に図示するものであり、展設具２の接続部２ａに形成した凹陥部２ｆへ補強部材３を摺動させることによって、緩締自在とするもので、補強部材３は接続部２ａの凹陥部２ｆを貫通させる貫通孔３ｄ．３ｄを形成しており、該貫通孔３ｄは一方に巾拡部３ｅを形成し他方を巾狭部３ｆを形成しており、摺動させることによって緩締が可能と成るものであり、補強部材３を巾狭部３ｆの方向に摺動させることによって展設具２は緊張するものであり、逆に、補強部材３を巾拡部３ｅの方向に摺動させることによって緩むものである。
【００３０】
更に、第５実施例は図７乃至図８に図示しているものであり、展設具２の接続部２ａに長円形状の貫通孔２ｇを穿設しており、補強部材３は摘みを兼ねた板状片３ａの下方へ楕円柱３ｇを垂下させ、該楕円柱３ｇを貫通孔２ｇに挿通させるものであり、楕円柱３ｇは長径を貫通孔２ｇの短径部より長く形成しており、回動させることによって、展設具２に緩締を付与できるものである。
【００３１】
そして、図９乃至図１０に図示するものはストッパーであり、当該展設具２が主として縦方向に加重が加わった場合上下にずれる恐れがあり、展設具２の下方近傍位置の枠体１へストッパー４を挿入してタッピングスクリュウ４ａを捩じ込むことによって展設具２の任意な位置の位置決めを可能とするものである。
【００３２】
【発明の効果】
本発明は前述の構成によって、本発明の展設具は枠体に組み込むことによって、額、ポスターフレーム等を次々と展設することが可能と成り、展設具を枠体より取り外すことによって展設を解除できるものであり、容易に展設具と枠体とを着脱でき、別体の工具を不要とし、更に、短時間で組み込める展設具を創案したものであり、画期的で実用性の高い発明である。
【図面の簡単な説明】
【図１】本発明の第１実施例の概要斜視図である。
【図２】本発明の第２実施例の説明側面図である。
【図３】本発明の第２実施例の枢動した状態の断面説明図である。
【図４】本発明の第３実施例の展設具の及び補強部材の斜視図である。
【図５】本発明の第３実施例の展設具の及び補強部材の斜視図である。
【図６】本発明の第４実施例の展設具及び補強部材の斜視図である。
【図７】本発明の第５実施例の展設具の斜視図の説明図である。
【図８】本発明の第５実施例の展設具の要部の説明図である。
【図９】本発明の展設具の縦方向のずれ防止用のストッパーの説明図である。
【図１０】本発明の展設具の縦方向のずれ防止用のストッパーの説明図である。
【図１１】従来例の展設具を組み込んだ斜視図である。
【図１２】従来例の展設具を取り外す前の斜視図である。
【図１３】従来例の展設具を取り外す直前の状態を表わした斜視図である。
【符号の説明】
１      枠体
１ａ    開口部
１ｂ    一方の枠体側係着片
１ｃ    他方の枠体側係着片
１ｄ    一方の枠体側係着部
１ｅ    他方の枠体側係着部
２      展設具
２ａ    接続部
２ｂ    展設具側係着片
２ｃ    爪係部
２ｄ    展設具側係着部
２ｅ    ヒンジ部
２ｆ    凹陥部
２ｇ    貫通孔
３      補強部材
３ａ    板状片
３ｂ    弾性係止片
３ｃ    係止用突部
３ｇ    楕円柱
４      ストッパー
４ａ    タッピングスクリュウ
【図１】
0003564781.tif 000002
【図２】
0003564781.tif 000003
【図３】
0003564781.tif 000004
【図４】
0003564781.tif 000005
【図５】
0003564781.tif 000006
【図６】
0003564781.tif 000007
【図７】
0003564781.tif 000008
【図８】
0003564781.tif 000009
【図９】
0003564781.tif 000010
【図１０】
0003564781.tif 000011
【図１１】
0003564781.tif 000012
【図１２】
0003564781.tif 000013
【図１３】
0003564781.tif 000014